(57)【要約】【課題】  内周部と外周部とを連結する支持可動部を含む細長形のエッジを備える動電型スピーカーに関し、再生音圧周波数特性のピーク・ディップを抑制することができ、能率が高くて再生音圧レベルも十分高く、再生音声品質に優れてディスプレイ等の機器に取り付けるのに適する動電型スピーカーを提供する。【解決手段】  エッジの角ロール部の断面形状において、角ロール部の中央直線部の長さと、内周直線部の長さと、外周直線部の長さと、がそれぞれ、長辺部から短辺部に至るまでの間に最小から最大に増長してから再び最小に減短して、中央直線部に対応して規定される平面である中央平面部と、内周直線部に対応して規定される曲面である内周立壁部と、外周直線部に対応して規定される曲面である外周立壁部と、がそれぞれ形成される。【選択図】  図３
2011239125.tif 000002
【特許請求の範囲】
【請求項１】
長径方向と短径方向とを有する細長形の振動板の外周端部と接合する内周部と、フレームの固定部と接合する外周部と、該内周部と該外周部とを連結する支持可動部と、を含む細長形のエッジであって、
該エッジの該内周部および該外周部の正面形状が、該長径方向に沿った一組の長辺部と、該一組の長辺を連結する該短径方向に沿った一組の短辺部と、一つの該長辺と一つの該短辺とを略円弧状に連結する４つの角部と、から規定される略長方形であり、
該支持可動部が、該長辺部に対応して断面が単一の円弧を含む長辺ロール部と、該短辺部に対応して断面が単一の円弧を含みその全高が該長辺ロール部の全高と同一になる短辺ロール部と、該角部に対応してその全高が該長辺ロール部並びに該短辺ロール部の全高と同一になる角ロール部と、を有し、
該角ロール部が、その周方向の断面形状において、該全高を規定する直線である中央直線部と、該中央直線部の内周端に連続して形成される円弧である内周側円弧部と、該中央直線部の外周端に連続して形成される円弧である外周側円弧部と、該内周側円弧部の内周端に連続して形成される直線であり該内周部に連結する内周直線部と、該外周側円弧部の外周端に連続して形成される直線であり該外周部に連結する外周直線部と、を含み、
該角ロール部の該中央直線部の長さと、該内周直線部の長さと、該外周直線部の長さと、がそれぞれ、該長辺部から該短辺部に至るまでの間に最小から最大に増長してから再び最小に減短して、該中央直線部に対応して規定される平面である中央平面部と、該内周直線部に対応して規定される曲面である内周立壁部と、該外周直線部に対応して規定される曲面である外周立壁部と、がそれぞれ形成される、
エッジ。
【請求項２】
前記エッジの前記支持可動部の前記角ロール部の断面形状における前記内周側円弧部および前記外周側円弧部を規定する半径が、前記長辺部から前記短辺部に至るまでの間に最大から最小に減短してから再び最大に増長する、
請求項１に記載のエッジ。
【請求項３】
請求項１または２に記載の細長形の前記エッジと、
該エッジの前記内周部とその外周端部が接合する前記振動板と、
該エッジの前記外周部とその固定部が接合する前記フレームと、
該振動板と連結するボイスコイルと、
該フレームと連結し、該ボイスコイルのコイルが配置される磁気空隙を有する磁気回路と、
をさらに備える、動電型スピーカー。
【発明の詳細な説明】
【技術分野】
【０００１】
本発明は、長径方向に比べて短径方向が短い細長形の略長方形の振動板を支持するエッジであって、音声再生能力に優れ、ディスプレイ等の機器に取り付けるのに適するこのエッジを用いる動電型スピーカーに関する。
【背景技術】
【０００２】
音声を再生するスピーカーを取り付けるディスプレイ等の音響機器においては、スピーカーを取り付けるのに要する空間を小型化することが要望されている。特に、細長形（矩形、長方形、長円形（楕円形、トラック形を含む））の動電型スピーカーは、短径方向に振動板面積が限られる、細長形のスピーカー振動板に特有な分割振動の影響が大きくて平坦な再生音圧周波数特性を得ることが難しい、磁気空隙の磁束密度が高いスピーカー用磁気回路を採用しようとすると、磁気回路の幅がスピーカー振動板よりも広くなり小型化できない、といった様々な理由から音声再生能力において不利な点がある。したがって、従来には、これらの問題を解決するために様々なスピーカー振動板、エッジ、スピーカー用磁気回路、および、これを用いた動電型スピーカーが提案されている。
【０００３】
従来の細長形のスピーカーでは、長径方向と短径方向とを有する細長形のコイルならびに細長形のボビンを含むボイスコイルと、ボビンがその中央に固着する細長形の振動板ならびエッジとを備える動電型スピーカーに関して、振動板の外周端部およびエッジの内周部が、長径方向に沿った一組の長辺と、一組の長辺を連結する一組の円弧と、から形成されるトラック形であり、エッジの外周部およびフレームの固定部が、長径方向に沿った一組の長辺と、一組の長辺を連結する短径方向に沿った一組の短辺と、から形成される略長方形であり、支持可動部が、内周部のトラック形の長辺に対応する長辺ロール部と、内周部の円弧に対応する短辺ロール部と、を有し、短辺ロール部の断面形状ならびに寸法が、長辺ロール部との連結部ならびに短径方向において長辺ロール部の断面形状ならびに寸法とほぼ等しく、かつ、エッジの外周部の長辺ならびに短辺との連結角部に対応する付近でロール幅が最も大きくなるように徐々に変化するスピーカー用のエッジがある（特許文献１）。
【０００４】
一方、従来には、ロールエッジとの結合部が略矩形状縁を有する振動板を具備する、いわゆる角形スピーカーの場合に、振動板の隅部に結合されるロールエッジの円弧部分のロール内側曲率を外側曲率と同じか又は大にした角形スピーカーがある（特許文献２）。振動板の隅部分に結合されるエッジ部分のロールの幅が直線部分のそれに比べて大きくなり、且ロール内周曲率が大であるので、周方向の伸縮に起因するコンプライアンスの増加を抑制することができ、全体的にエッジのコンプライアンスを低下せしめることができ、これにより最低共振周波数を低下することができ、低域再生能力を拡大することができる。
【０００５】
また、例えば、ボイスコイルを有するコーンと一体をなす角形平板振動板の周縁部をフレームに装着するエッジのコーナー部における幅寸法をエッジのストレート部分における幅寸法よりも大きく形成し、コーナー部におけるスティフネスをストレート部におけるスティフネスと等しくするかあるいは小さくしたことを特徴とするスピーカー装置がある（特許文献３）。特許文献３の図３および図４に示すスピーカー装置では、エッジのコーナー部における幅寸法をエッジのストレート部分における幅寸法よりも大きく形成する結果、エッジ９のコーナー部９ｂの断面形状には、ロールエッジの頂点が引き延ばされて形成されるような直線部が現れる。ただし、エッジ９のコーナー部９ｂの形状は、特許文献３の図４に図示される断面以外での断面形状を含む詳細な構成が不明であり、また、図４に図示される断面では、直線部の両端にはエッジ９のストレート部のロール形状とほぼ等しい単一円弧のロール部分が形成されており、それぞれエッジの内周部と外周部とに連続している。
【０００６】
【特許文献１】特開２００９−２０１００５号公報  （第１図、第２図）
【特許文献２】実公平３−１４８７８号公報  （図１ａ〜図２ｂ）
【特許文献３】実開昭６０−１４４３９０号公報  （第３図〜第４図）
【０００７】
しかしながら、従来技術のスピーカーでは、いずれも充分ではない。特許文献１に記載のスピーカーは、長径方向と短径方向とを有するトラック形のコイルならびにトラック形のボビンを含むボイスコイルと、ボビンがその中央に固着するトラック形の振動板と、を有する特殊なスピーカーの場合であり、略長方形の振動板を有する細長形のスピーカーに適するとは限らない。また、正方形に近い略矩形の振動板の場合には、特許文献２または３に記載のエッジは有効であるものの、振動板が長方形の細長形のスピーカーでは、エッジの角部分に接続する長辺側および短辺側のエッジの構成が著しく異なるので、角部分に過剰な応力がかかり、音圧周波数特性が乱れる場合がある、あるいは、エッジ切れが生じる場合がある、という問題がある。
【発明の概要】
【発明が解決しようとする課題】
【０００８】
本発明は、上記の従来技術が有する問題を解決するためになされたものであり、その目的は、内周部と外周部とを連結する支持可動部を含む細長形のエッジを備える動電型スピーカーに関し、再生音圧周波数特性のピーク・ディップを抑制することができ、能率が高くて再生音圧レベルも十分高く、再生音声品質に優れてディスプレイ等の機器に取り付けるのに適する動電型スピーカーを提供することにある。
【課題を解決するための手段】
【０００９】
本発明のエッジは、長径方向と短径方向とを有する細長形の振動板の外周端部と接合する内周部と、フレームの固定部と接合する外周部と、内周部と外周部とを連結する支持可動部と、を含む細長形のエッジであって、エッジの内周部および外周部の正面形状が、長径方向に沿った一組の長辺部と、一組の長辺を連結する短径方向に沿った一組の短辺部と、一つの長辺と一つの短辺とを略円弧状に連結する４つの角部と、から規定される略長方形であり、支持可動部が、長辺部に対応して断面が単一の円弧を含む長辺ロール部と、短辺部に対応して断面が単一の円弧を含みその全高が長辺ロール部の全高と同一になる短辺ロール部と、角部に対応してその全高が長辺ロール部並びに短辺ロール部の全高と同一になる角ロール部と、を有し、角ロール部が、その周方向の断面形状において、全高を規定する直線である中央直線部と、中央直線部の内周端に連続して形成される円弧である内周側円弧部と、中央直線部の外周端に連続して形成される円弧である外周側円弧部と、内周側円弧部の内周端に連続して形成される直線であり内周部に連結する内周直線部と、外周側円弧部の外周端に連続して形成される直線であり外周部に連結する外周直線部と、を含み、角ロール部の中央直線部の長さと、内周直線部の長さと、外周直線部の長さと、がそれぞれ、長辺部から短辺部に至るまでの間に最小から最大に増長してから再び最小に減短して、中央直線部に対応して規定される平面である中央平面部と、内周直線部に対応して規定される曲面である内周立壁部と、外周直線部に対応して規定される曲面である外周立壁部と、がそれぞれ形成される。
【００１０】
好ましくは、本発明のエッジは、エッジの支持可動部の角ロール部の断面形状における内周側円弧部および外周側円弧部を規定する半径が、長辺部から短辺部に至るまでの間に最大から最小に減短してから再び最大に増長する。
【００１１】
また、好ましくは、本発明の動電型スピーカーは、上記のエッジと、エッジの内周部とその外周端部が接合する振動板と、エッジの外周部とその固定部が接合するフレームと、振動板と連結するボイスコイルと、フレームと連結し、ボイスコイルのコイルが配置される磁気空隙を有する磁気回路と、をさらに備える。
【００１２】
以下、本発明の作用について説明する。
【００１３】
本発明のエッジは、長径方向と短径方向とを有する細長形の振動板の外周端部と接合する内周部と、フレームの固定部と接合する外周部と、内周部と外周部とを連結する支持可動部と、を含む細長形のエッジであって、エッジの内周部および外周部の正面形状が、長径方向に沿った一組の長辺部と、一組の長辺を連結する短径方向に沿った一組の短辺部と、一つの長辺と一つの短辺とを略円弧状に連結する４つの角部と、から規定される略長方形である。また、本発明の動電型スピーカーは、このエッジと、エッジの内周部とその外周端部が接合する振動板と、エッジの外周部とその固定部が接合するフレームと、振動板と連結するボイスコイルと、フレームと連結し、ボイスコイルのコイルが配置される磁気空隙を有する磁気回路と、をさらに備える。したがって、音響機器の取り付ける空間が狭くても、取り付けることが可能な再生音声品質に優れる細長形の動電型スピーカーが実現される。
【００１４】
本発明のエッジは、その支持可動部が、長辺部に対応して断面が単一の円弧を含む長辺ロール部と、短辺部に対応して断面が単一の円弧を含みその全高が長辺ロール部の全高と同一になる短辺ロール部と、角部に対応してその全高が長辺ロール部並びに短辺ロール部の全高と同一になる角ロール部と、を有する。つまり、このエッジは、細長形の全周に渡ってその全高が均一で、飛び出し寸法が一定のロールエッジである。長辺部に対応する長辺ロール部と、短辺部に対応する短辺ロール部と、は、それぞれ断面が単一の円弧からなるロールエッジであり、場合によっては断面の一部でさらに直線部を含むロールエッジである。なお、長辺ロール部の幅と、短辺ロール部の幅とは、異なっていても良く、好ましくは、エッジの支持可動部の長辺部の断面形状における幅は、短辺部の断面形状における幅よりも大きい方がよい。
【００１５】
一方で、長辺ロール部と短辺ロール部とをつなぐ角ロール部は、周方向の断面が単一の円弧のみから構成されないロールエッジである。角ロール部では、周方向の角度によって断面形状が徐々に変化するので、長辺ロール部と短辺ロール部とを滑らかにつなぐことができる。周方向の断面形状における角ロール部の幅は、長辺ロール部の幅と、短辺ロール部の幅と、の何れかと等しいか、それ以上の長さの幅を有していればよい。角ロール部は、その周方向の断面形状において、全高を規定する直線である中央直線部と、中央直線部の内周端に連続して形成される円弧である内周側円弧部と、中央直線部の外周端に連続して形成される円弧である外周側円弧部と、内周側円弧部の内周端に連続して形成される直線であり内周部に連結する内周直線部と、外周側円弧部の外周端に連続して形成される直線であり外周部に連結する外周直線部と、を含む。
【００１６】
したがって、角ロール部では、中央直線部に対応して規定される平面である中央平面部と、内周直線部に対応して規定される曲面である内周立壁部と、外周直線部に対応して規定される曲面である外周立壁部と、がそれぞれ形成される。中央直線部の長さは、周方向の角度の変化に合わせて、長辺部から短辺部に至るまでの間に最小から最大に増長してから再び最小に減短して、中央平面部を形成する。また、内周直線部の長さは、周方向の角度の変化に合わせて、長辺部から短辺部に至るまでの間に最小から最大に増長してから再び最小に減短して、この内周直線部が内周立壁部を形成する。同様に、外周直線部の長さは、周方向の角度の変化に合わせて、長辺部から短辺部に至るまでの間に最小から最大に増長してから再び最小に減短して、この外周直線部が外周立壁部を形成する。一方、エッジの支持可動部の角ロール部の断面形状における内周側円弧部および外周側円弧部を規定する半径は、長辺部から短辺部に至るまでの間に最大から最小に減短してから再び最大に増長する。
【００１７】
このように、角ロール部に、平面状で強い中央平面部だけでなく、さらに剛性を高める内周立壁部および外周立壁部を形成するように、その周方向での断面形状において、全高を規定する中央直線部と、内周直線部と、外周直線部とを含むようにしたので、角ロール部の剛性を高めて、角ロール部に集中しやすい過剰な応力にも耐えられるようにしてエッジ切れを防止し、再生音圧周波数特性のピーク・ディップを抑制して、このエッジを用いる動電型スピーカーの再生音声品質を高めることが出来る。本発明の動電型スピーカーでは、細長形のエッジの形状を上記のようにすることにより、略長方形の振動板を有する動電型スピーカーであっても、振動板の分割振動が抑制され、能率並びに再生音圧レベルを高めて、再生音声品質と耐入力を高めることができる。
【発明の効果】
【００１８】
本発明の動電型スピーカーは、長径方向と短径方向とを有する略長方形の振動板ならびにエッジを備える動電型スピーカーであっても、再生音圧周波数特性のピーク・ディップを抑制することができ、能率が高くて再生音圧レベルも十分高く、再生音声品質に優れる動電型スピーカーを提供することができる。
【図面の簡単な説明】
【００１９】
【図１】本発明の好ましい実施形態による動電型スピーカー１について説明する図である。（実施例１）
【図２】本発明の好ましい実施形態によるエッジ３について説明する図である。（実施例１）
【図３】本発明の好ましい実施形態によるエッジ３の角ロール部３０について説明する図である。（実施例１）
【図４】本発明の好ましい実施形態によるエッジ３の角ロール部３０の断面形状の変化を説明する図である。（実施例１）
【図５】比較例のエッジ３ｘの角ロール部４０の断面形状の変化を説明する図である。（比較例１）
【発明を実施するための形態】
【００２０】
以下、本発明の好ましい実施形態による動電型スピーカーについて説明するが、本発明はこれらの実施形態には限定されない。
【実施例１】
【００２１】
図１は、本発明の好ましい実施形態による動電型スピーカー１を説明する図であり、具体的には、動電型スピーカー１を前面側斜め上方から見た斜視図である。本実施例の動電型スピーカー１は、長径方向長が約１６．０ｃｍ、短径方向長が約４．０ｃｍの略長方形のスピーカー振動板２を有する細長形の動電型スピーカーである。なお、後述するように、動電型スピーカー１の一部の構造や、内部構造等は、省略している。また、点Ａ−Ａ’を結ぶ直線が延びる方向が長径方向であり、また、点Ｂ−Ｂ’を結ぶ直線が延びる方向が短径方向である。
【００２２】
外形が略長方形のスピーカー振動板２は、略矩形でそれぞれの中央部分が若干凸状になった５つの矩形振動面部を有する抄紙した紙をプレス成形した平面振動板であり、エッジ３によってその外周端部を支持されており、エッジ３の外周端部は、フレーム６に固定されている。エッジ３の外周端部の前面側には、ガスケット５が連結する。また、スピーカー振動板２の背面側には、合計３個の（図示しない）矩形ボイスコイルと、これらを縦１列横３列の格子状に連結する（図示しない）矩形鉢巻部材と、を備える（図示しない）ボイスコイル組立体４が連結している。なお、スピーカー振動板２は、ＰＳＰ、ＰＰ、発泡ＰＰ、紙、アルミ合金等をプレス成形する平面振動板であっても良く、また、それぞれ薄板状にした平面材料を打ち抜いて形成したものであってもよい。
【００２３】
（図示しない）ボイスコイル組立体４では、矩形鉢巻部材が、５つの矩形振動面部のうちの中央と両端との３つの部分に矩形ボイスコイルを対応して連結させ、隣り合う一組の矩形ボイスコイルの間にボイスコイルが配置されない矩形空間を規定して、矩形ボイスコイル同士を離間して略格子状に連結している。本実施例のボイスコイル組立体では、矩形ボビンおよび矩形鉢巻部材が、軽量で、かつ、矩形状に形成した場合に十分な剛性を有するアルミ材料で形成されているので、矩形ボイスコイル同士を密着させる構造にしなくても、平面振動板２を全面駆動するのに十分な強度を確保することができる。スピーカー１は、平面振動板２を全面駆動することで、分割振動が発生しにくくて平坦な周波数特性が得られる。
【００２４】
また、フレーム６は、トラック形のスピーカー振動板２に対応した細長形状であり、フレーム６に固定される磁気回路１０も、短径方向長以下の幅が狭い細長形状を有している。具体的には、フレーム６に固定される磁気回路１０は、ボイスコイル組立体４が有する３つの矩形ボイスコイルの形状に対応した磁気空隙を有する３つの磁気回路からなる。フレーム６の背面側の窓からは、磁気回路１０と、ボイスコイル組立体４等の振動系を構成する部品が露出する。したがって、動電型スピーカー１は、ディスプレイ等の機器が有する表示部の側部など、スピーカーを取り付ける幅が少ない機器に適するスピーカーである。
【００２５】
スピーカー振動板２、エッジ３、および、ボイスコイル組立体４からなるスピーカー振動系は、フレーム６に対して振動可能に支持される。動電型スピーカー１では、ボイスコイル組立体４の矩形ボイスコイルに音声電流が供給されると、磁気回路１０の磁気空隙に配置された矩形ボイスコイルに駆動力が作用し、ボイスコイル組立体４は前後方向に振動し、連結されたスピーカー振動板２も前後方向に振動する。なお、動電型スピーカー１において前後とは、スピーカー振動板２が振動する場合に、ボイスコイル４、および、磁気回路１０が取り付けられる側を後側とし、スピーカー振動板２、および、エッジ３が露出する側を前側としている。
【００２６】
図２、図３、および、図４は、本発明の好ましい実施形態によるエッジ３について説明する図である。具体的には、図２は、エッジ３を含む動電型スピーカー１の平面図であり、図３は、エッジ３の角ロール部３０を含む図１の斜視図における点線で囲われた部分Ｓ１を拡大した斜視図である。また、図４は、エッジ３の角ロール部３０の断面形状の変化を説明する図であって、図２の平面図における点線で囲われた部分Ｓ２を拡大し、その断面形状が変化する様子を１５°間隔で示した複数の断面図を含む。
【００２７】
エッジ３は、例えば、綿およびポリエステル繊維の複数の縦糸及び横糸が概略直交する織布にゴムを含浸して基材とし、金型で加熱成型して内周および外周を切断されて形成される細長形のスピーカー用のロールエッジであり、ほぼ厚みが約０．２ｍｍである。なお、エッジ３は、例えば、発泡ゴムを金型内部に注入して熱プレス成型して発泡させて所定の形状を得て、内周側及び外周側を切断型で切断して、略環状であって細長形のロールエッジの形状に成形したスピーカー用エッジであってもよい。
【００２８】
エッジ３は、スピーカー振動板２の外周端部と接合する略長方形で平面状の内周部３１と、フレーム６と接合する平面を備える略長方形で平面状の外周部３２と、内周部３１と外周部３２とを連結する半径方向の断面が連続したロール形状から構成される支持可動部３３と、を備える。内周部３１および外周部３２と、エッジ３の支持可動部３３の正面形状は、長径方向に沿った一組の長辺部と、一組の長辺を連結する短径方向に沿った一組の短辺部と、一つの長辺と一つの短辺とを略円弧状に連結する４つの角部と、から規定される略長方形である。具体的には、エッジ３の外形寸法は、長径方向長が約１３９．１ｍｍ、短径方向長が約３５．０ｍｍである。また、エッジ３の内形寸法は、長径方向長が約１２３．９ｍｍ、短径方向長が約１９．８ｍｍである。
【００２９】
エッジ３の支持可動部３３は、全体に前方方向に凸状のアップロール形状であり、長辺部に対応して断面が単一の円弧を含む長辺ロール部３４と、短辺部に対応して断面が単一の円弧を含みその全高が長辺ロール部３４の全高と同一になる短辺ロール部３５と、角部に対応してその全高が長辺ロール部並びに短辺ロール部の全高と同一になる角ロール部３０と、を有する。長辺ロール部３４は、その断面形状が半径１．５ｍｍの単一の円弧から規定される凸状ロールであり、その幅Ｌｗ１が約３．５ｍｍで、かつ、その全高Ｌｈが約１．９ｍｍになるように、長辺部において平面状の内周部３１と外周部３２とを連結する。同様に、短辺ロール部３５は、その断面形状が半径１．５ｍｍの単一の円弧から規定される凸状ロールであり、その幅Ｌｗ２が約３．５ｍｍで、かつ、その全高Ｌｈが長辺ロール部３４の全高Ｌｈと同一になるように、短辺部において平面状の内周部３１と外周部３２とを連結する。
【００３０】
図４は、エッジ３の長辺ロール部３４並びに短辺ロール部３５に続いて形成される角ロール部３０において、その断面形状が変化する様子を、１５°間隔で示した断面図により説明する図である。図４に図示するように、角ロール部３０の断面形状は、図４（ａ）に示す角度０度の場合に長辺ロール部３４での単一の円弧から規定される凸状ロールを含み、図４（ｇ）に示す角度９０度の場合に短辺ロール部３５での凸状ロールを含んでいる。角ロール部３０の断面形状における幅Ｌｗ０は、図４（ｂ）〜（ｆ）に示す角度１５度〜７５度の場合でも、角度０度での長辺ロール部３４の幅Ｌｗ１、並びに、角度９０度での短辺ロール部３５の幅Ｌｗ２と変わらず、一定である。なお、角ロール部３０の断面形状における幅Ｌｗ０は、長辺ロール部３４の幅Ｌｗ１が短辺ロール部３５の幅Ｌｗ２よりも大きい場合には、Ｌｗ１以下でＬｗ２以上の範囲で角度に応じて滑らかに変化しても良い。
【００３１】
４つの角ロール部３０は、それぞれの周方向の断面形状において、全高Ｌｈを規定する直線である中央直線部３０ａと、中央直線部３０ａの内周端に連続して形成される円弧である内周側円弧部３０ｂと、中央直線部３０ａの外周端に連続して形成される円弧である外周側円弧部３０ｃと、内周側円弧部３０ｂの内周端に連続して形成される直線であり内周部３１に連結する内周直線部３０ｄと、外周側円弧部３０ｃの外周端に連続して形成される直線であり外周部３２に連結する外周直線部３０ｅと、を含む。中央直線部３０ａは、スピーカー振動板２およびボイスコイル組立体４が振動する方向と略直交する方向に伸びる直線である。したがって、エッジ３の支持可動部の最大高さは、全周に渡って全高Ｌｈであり、ほぼ一定である。
【００３２】
エッジ３の角ロール部３０の中央直線部３０ａの長さと、内周直線部３０ｄの長さと、外周直線部３０ｅの長さと、は、それぞれ、長辺ロール部３４から短辺ロール部３５に至るまでの間に最小から最大に増長してから再び最小に減短する。つまり、中央直線部３０ａの長さと、内周直線部３０ｄの長さと、外周直線部３０ｅの長さと、は、周方向の角度の変化につれて変化し、それぞれ図４（ｄ）に示す角度４５度の付近で最も長くなる。具体的には、中央直線部３０ａの長さは、０ｍｍ〜約１．４ｍｍの範囲で変化し、内周直線部３０ｄの長さは、０ｍｍ〜約１．６ｍｍの範囲で変化し、外周直線部３０ｅの長さは、０ｍｍ〜約１．０ｍｍの範囲で変化する。
【００３３】
一方、エッジ３の角ロール部３０の断面形状における内周側円弧部３０ｂおよび外周側円弧部３０ｃを規定する半径は、長辺ロール部３４から短辺ロール部３５に至るまでの間に最大から最小に減短してから再び最大に増長する。つまり、内周側円弧部３０ｂを規定する半径と、外周側円弧部３０ｃを規定する半径と、は、それぞれ図４（ｄ）に示す角度４５度の付近で最も小さくなり、それぞれ半径０．５ｍｍである。内周側円弧部３０ｂを規定する半径と、外周側円弧部３０ｃを規定する半径と、は、それぞれ図４（ａ）に示す角度０度ないし図４（ｇ）に示す角度９０度で最も大きくなり、それぞれ長辺ロール部３４ないし短辺ロール部３５の単一の円弧に連続する。
【００３４】
その結果、エッジ３の角ロール部３０では、図３に図示するように、中央直線部３０ａに対応して規定される平面である中央平面部３０Ａと、内周直線部３０ｄに対応して規定される曲面である内周立壁部３０Ｄと、外周直線部３０ｅに対応して規定される曲面である（背面側に隠れるので図示しない）外周立壁部３０Ｅと、がそれぞれ形成される。また、エッジ３の角ロール部３０では、内周側円弧部３０ｂに対応して規定される曲面である内周側曲面部３０Ｂと、外周側円弧部３０ｃに対応して規定される曲面である外周側曲面部３０Ｃと、がそれぞれ形成される。
【００３５】
図３に図示するように、中央平面部３０Ａは、周方向に曲がるにつれてその幅が徐々に広くなり、さらにその後その幅が狭くなる平面である。内周立壁部３０Ｄおよび外周立壁部３０Ｅは、周方向に曲がるにつれてその幅が徐々に広くなり、さらにその後その幅が狭くなる曲面であり、局所的に見て球面状になる部分を含まない曲面である。一方、内周側曲面部３０Ｂおよび外周側曲面部３０Ｃは、周方向に曲がるにつれてその幅が徐々に狭くなり、さらにその後その幅が広くなる曲面であり、局所的に見て球面状になる部分を含む曲面である。エッジ３の角ロール部３０では、中央平面部３０Ａと、内周側曲面部３０Ｂと、外周側曲面部３０Ｃと、内周立壁部３０Ｄと、外周立壁部３０Ｅと、が滑らかに連続している。
【００３６】
図５は、比較例のエッジ３ｘの角ロール部４０の断面形状の変化を説明する図である。比較例のエッジ３ｘは、その角ロール部４０の断面形状が、先の実施例におけるエッジ３の角ロール部３０と異なる他は、材料・仕様・寸法が共通するエッジである。したがって、以下では共通する部分には共通する番号を付して、説明を省略する。
【００３７】
比較例のエッジ３ｘの支持可動部３３は、長辺部に対応して断面が単一の円弧を含む長辺ロール部３４と、短辺部に対応して断面が単一の円弧を含みその全高が長辺ロール部３４の全高と同一になる短辺ロール部３５と、角部に対応してその全高が長辺ロール部並びに短辺ロール部の全高と同一になる角ロール部４０と、を有する。長辺ロール部３４は、その断面形状が半径１．９ｍｍの単一の円弧から規定される凸状ロールであり、その幅Ｌｗ１が約３．５ｍｍで、かつ、その全高Ｌｈ’が約１．２ｍｍになるように、長辺部において平面状の内周部３１と外周部３２とを連結する。同様に、短辺ロール部３５は、その断面形状が半径１．８ｍｍの単一の円弧から規定される凸状ロールであり、その幅Ｌｗ２が約３．５ｍｍで、かつ、その全高Ｌｈ’が長辺ロール部３４の全高Ｌｈ’と同一になるように、短辺部において平面状の内周部３１と外周部３２とを連結する。
【００３８】
図５に図示するように、比較例のエッジ３ｘの角ロール部４０の断面形状は、図５（ａ）に示す角度０度の場合に長辺ロール部３４での単一の円弧から規定される凸状ロールを含み、図５（ｇ）に示す角度９０度の場合に短辺ロール部３５での凸状ロールを含んでいる。角ロール部４０の断面形状における幅Ｌｗ０は、図５（ｂ）〜（ｆ）に示す角度１５度〜７５度の場合でも、角度０度での長辺ロール部３４の幅Ｌｗ１、並びに、角度９０度での短辺ロール部３５の幅Ｌｗ２に等しい。
【００３９】
比較例のエッジ３ｘの４つの角ロール部４０は、それぞれの周方向の断面形状において、全高Ｌｈ’を規定する直線である中央直線部４０ａと、中央直線部４０ａの内周端に連続して形成される円弧である内周側円弧部４０ｂと、中央直線部４０ａの外周端に連続して形成される円弧である外周側円弧部４０ｃと、を含む。中央直線部３０ａは、スピーカー振動板２およびボイスコイル組立体４が振動する方向と略直交する方向に伸びる直線である。したがって、エッジ３の支持可動部の最大高さは、全周に渡って全高Ｌｈ’であり、ほぼ一定である。また、角ロール部４０では、実施例のエッジ３の角ロール部３０における内周直線部３０ｄ、あるいは、外周直線部３０ｅに相当する直線部は、その周方向の断面形状において形成されない。
【００４０】
比較例のエッジ３ｘの角ロール部４０の中央直線部４０ａの長さは、長辺ロール部３４から短辺ロール部３５に至るまでの間に最小から最大に増長してから再び最小に減短する。つまり、中央直線部３０ａの長さは、周方向の角度の変化につれて変化し、図５（ｄ）に示す角度４５度の付近で最も長くなる。具体的には、中央直線部３０ａの長さは、０ｍｍ〜約１．６ｍｍの範囲で変化する。
【００４１】
一方、比較例のエッジ３ｘの角ロール部４０の断面形状における内周側円弧部４０ｂおよび外周側円弧部４０ｃを規定する半径は、長辺ロール部３４から短辺ロール部３５に至るまでの間に最大から最小に減短してから再び最大に増長する。つまり、内周側円弧部４０ｂを規定する半径と、外周側円弧部４０ｃを規定する半径と、は、それぞれ図５（ｄ）に示す角度４５度の付近で最も小さくなり、それぞれ半径０．７ｍｍである。内周側円弧部４０ｂを規定する半径と、外周側円弧部４０ｃを規定する半径と、は、それぞれ図５（ａ）に示す角度０度ないし図５（ｇ）に示す角度９０度で最も大きくなり、それぞれ長辺ロール部３４ないし短辺ロール部３５の単一の円弧に連続する。
【００４２】
その結果、比較例のエッジ３ｘの角ロール部４０では、中央直線部４０ａに対応して規定される平面である（図示しない）中央平面部４０Ａが形成され、内周側円弧部４０ｂに対応して規定される曲面である（図示しない）内周側曲面部４０Ｂと、外周側円弧部４０ｃに対応して規定される曲面である（図示しない）外周側曲面部４０Ｃと、がそれぞれ形成される。ただし、比較例のエッジ３ｘの角ロール部４０では、図３に図示する実施例のエッジ３の角ロール部３０のように、内周直線部３０ｄに対応して規定される曲面である内周立壁部３０Ｄと、外周直線部３０ｅに対応して規定される曲面である外周立壁部３０Ｅと、はそれぞれ形成されない。
【００４３】
中央平面部４０Ａは、図３に図示する実施例のエッジ３の中央平面部３０Ａと同様に、周方向に曲がるにつれてその幅が徐々に広くなり、さらにその後その幅が狭くなる平面である。一方、内周側曲面部４０Ｂおよび外周側曲面部４０Ｃは、周方向に曲がるにつれてその幅が徐々に狭くなり、さらにその後その幅が広くなる曲面であり、局所的に見て球面状になる部分を含む曲面である。エッジ３ｘの角ロール部４０では、中央平面部４０Ａと、内周側曲面部４０Ｂと、外周側曲面部４０Ｃと、が滑らかに連続している。
【００４４】
本実施例の動電型スピーカー１は、上記のエッジ３と、略長方形のスピーカー振動板２と、ボイスコイル組立体４とを含むので、細長形のスピーカー振動板２で発生しやすい３００Ｈｚ以上での分割振動を抑制して、滑らかな周波数特性を実現することができる。本実施例のエッジ３では、その角ロール部３０に、平面状で応力に対して強い中央平面部３０Ａだけでなく、さらに剛性を高める内周立壁部３０Ｄおよび外周立壁部３０Ｅを形成するように、その周方向での断面形状において、全高を規定する中央直線部３０ａと、内周直線部３０ｄと、外周直線部３０ｅとを含むようにしているので、角ロール部３０の全体の剛性を高めて、角ロール部３０に集中しやすい過剰な応力にも耐えられるようにしてエッジ切れを防止し、再生音圧周波数特性のピーク・ディップを抑制して、このエッジを用いる動電型スピーカー１の再生音声品質を高めることが出来る。
【００４５】
一方で、比較例のエッジ３ｘを含む（図示しない）動電型スピーカー１ｘは、上述のように、エッジ３ｘが、その角ロール部４０に平面状で強い中央平面部４０Ａを含むものの、さらに剛性を高める本実施例での内周立壁部３０Ｄおよび外周立壁部３０Ｅに相当する部分が形成されないので、角ロール部４０の剛性を集中しやすい過剰な応力にも耐えられるように高めることが十分でない。その結果、エッジ３ｘの角ロール部４０では、エッジ切れが発生する場合があり、再生音圧周波数特性にもピーク・ディップが発生しやすくなる。
【００４６】
したがって、本実施例の動電型スピーカー１は、細長形のエッジ３の形状を上記のようにすることにより、略長方形のスピーカー振動板２を用いるものであっても、比較的に平坦な再生音圧周波数特性を得ることができる。すなわち、エッジ３の角ロール部３０の断面形状を、内周直線部３０ｄに対応して規定される曲面である内周立壁部３０Ｄと、外周直線部３０ｅに対応して規定される曲面である外周立壁部３０Ｅと、がそれぞれ形成されて徐々に変化するようなものにしたので、角ロール部３０の全体の剛性を高めて、角ロール部３０に集中しやすい過剰な応力にも耐えられるようにしてエッジ切れを防止し、再生音圧周波数特性のピーク・ディップを抑制して、このエッジを用いる動電型スピーカー１の再生音声品質を高めることが出来る。
【００４７】
なお、本発明の動電型スピーカーを構成するエッジ３は、上記実施例の場合のような支持可動部３３が前方方向に凸状（後方方向に凹状）のアップロールエッジに限定されず、支持可動部３３が前方方向に凹状（後方方向に凸状）のダウンロールエッジであっても良い。また、本発明の動電型スピーカーを構成するエッジ３は、上記実施例の場合に限定されず、発泡ゴムから成形した場合、または、発泡ウレタン等の材料を用いる場合であってもよい。スピーカー用エッジを形成する弾性材料は、例えば、ゴム、または、エラストマーを射出成形の金型に注入して成型してもよい。また、エラストマーのシートをプレス成型したものであってもよい。
【産業上の利用可能性】
【００４８】
本発明の動電型スピーカーは、略長方形のスピーカー振動板を用いたスピーカーに限られず、音波を放射する細長形状の振動板と、この細長形状の振動板に駆動力を伝達する駆動部材が細長形状の組み合わせになる他の振動系を備える他の電機−機械−音響変換器にも適用が可能である。
【符号の説明】
【００４９】
１        動電型スピーカー
２        スピーカー振動板
３        エッジ
４        ボイスコイル組立体
５        ガスケット
６        フレーム
１０      磁気回路
３０、４０      角ロール部
３１      内周部
３２      外周部
３３      支持可動部
３４      長辺ロール部
３５      短辺ロール部
【図１】
2011239125.tif 000003
【図２】
2011239125.tif 000004
【図３】
2011239125.tif 000005
【図４】
2011239125.tif 000006
【図５】
2011239125.tif 000007